(57)【要約】      （修正有）【課題】泥のような異物の排出を円滑にし、水平方向に作用するせん断力によってゴム層や鉄板コアから簡単に剥離されない建設機械用ゴムパットを提供する。【解決手段】建設機械用ゴムパッドは、前端がシュープレート１０の前方突起部１１下端に接し、後端が後方突起部１３下端に接し、中央部は中央突起部１２上端面に密着して中央突起部前後方に内部空間６００を形成する断面台形状の鉄板コア１００と、鉄板コアの上部面に対応する下部面を持ち、鉄板コアの上部面に接着され一体になるゴム層２００と、鉄板コアをシュープレートに結合する結着部と、ゴム層と鉄板コアを垂直方向で貫通して内部空間に到達する垂直排出口４００と、内部空間の左右両端部が開放され水平方向の排出通路となる水平排出口５００と、を具備し、シュープレートの泥抜き穴１４を通じて内部空間に流入された泥や異物を垂直排出口と水平排出口から外部に排出する。【選択図】図２
0003228743.tif 000002
【実用新案登録請求の範囲】
【請求項１】
垂直及び水平方向に泥排出口が具備された建設機械用ゴムパッドであって、
板状部材の前端と後端が切曲された断面台形状の鉄板コア（１００）であり、前端はシュープレート（１０）の前方突起部（１１）下端に接し、後端は前記シュープレート（１０）の後方突起部（１３）下端に接し、中央部は前記シュープレート（１０）の中央突起部（１２）上端面に密着するように結合されながら前記シュープレート（１０）の中央突起部（１２）前後方各々に内部空間（６００）を形成する鉄板コア（１００）と、
前記鉄板コア（１００）の上部面に対応する形態の下部面を持ち、前記鉄板コア（１００）の上部面に接着され前記鉄板コア（１００）と一体になるゴム層（２００）と、
前記鉄板コア（１００）を前記シュープレート（１０）に結合する結着部（３００）と、
前記ゴム層（２００）と前記鉄板コア（１００）を垂直方向で貫通して前記内部空間（６００）各々に到達する垂直排出口（４００）と、
前記内部空間（６００）の左右両端部が開放され水平方向の排出通路となる水平排出口（５００）と、を具備し、
前記シュープレート（１０）の泥抜き穴（１４）を通じて前記内部空間（６００）流入された泥や異物を前記垂直排出口（４００）と前記水平排出口（５００）を交互に通過して外部に排出されることを特徴とする、垂直及び水平方向に泥排出口が具備された建設機械用ゴムパッド。
【請求項２】
前記鉄板コア（１００）の上部面から上向きに突出して前記ゴム層（２００）を支持し、水平方向に作用するせん断力によって前記ゴム層（２００）が前記鉄板コア（１００）から分離されることを防止する支持板（１１０）をさらに具備することを特徴とする
請求項１記載の垂直及び水平方向への泥排出口が具備された建設機械用ゴムパッド。
【請求項３】
前記結着部（３００）は、
コの字型の形態に切曲された２個のワイヤーが離隔されて平行に配列された状態で下側の端部が連結ワイヤー（３１５）によって一体に結合された形態であり、上側の各端部は前記鉄板コア（１００）に溶接結合される弾性フック（３１０）で構成され、前記弾性フック（３１０）と前記鉄板コア（１００）の間に前記シュープレート（１０）が挟まれて弾性支持される第１構造、
前記鉄板コア（１００）下部面に溶接結合され内部空間（６００）に位置する締結用ブロック（３２１）と、Ｌ字型の断面形態のアングル部材として前記締結用ブロック（３２１）の側面に結合されるアングルブラケット（３２２）と、前記アングルブラケット（３２２）を通過して前記締結用ブロック（３２１）の内部に具備されたネジ部にネジ締結される水平結合ボルト（３２３）と、で構成され、前記アングルブラケット（３２２）と前記鉄板コア（１００）の間にシュープレート（１０）が挟まれる第２構造、
又は頭部が前記鉄板コア（１００）に溶接結合され、下向きに突出し、前記内部空間（６００）と前記シュープレート（１０）を通過する垂直結合ボルト（３３１）と、円筒形状の形態をしており前記垂直結合ボルト（３３１）が挿入され前記鉄板コア（１００）の下部面とシュープレート（１０）の間に位置して前記鉄板コア（１００）の下部面を支えるスペーサー（３３２）と、前記シュープレート（１０）を通過した前記垂直結合ボルト（３３１）の下端部に締結される結合ナット（３３３）と、で構成される第３構造、
のうち１種類又は2種類の組み合わせで成り立ち、前記鉄板コア（１００）の左右両側のいずれか一方に前記第１構造が適用される場合、他方は前記第２構造又は前記第３構造が適用され、前記第２構造又は前記第３構造は前記水平排出口（５００）が確保されるように前記内部空間（６００）の一部領域のみを占めることを特徴とする
請求項１又は２記載の垂直及び水平方向への泥排出口が具備された建設機械用ゴムパッド。
【考案の詳細な説明】
【技術分野】
【０００１】
本考案は垂直及び水平方向に泥排出口が具備された建設機械用ゴムパットに関するものであり、垂直及び水平方向に具備された泥排出口を通じてゴムパットとシュープレートの間の空間に流入された泥や異物を効果的に流出し、ゴム層の剥離現象や変形を効果的に防止できることを技術的な特徴とする。
【背景技術】
【０００２】
従来ゴムパットの開発目的は、建設装備（鉄履帯）走行時に道路の路面が破損することを防止するという概念から始まったが、建設装備が瞬時道路でのみ作業するわけではなく、様々な場所に渡って作業をすることとなり、田・畑・山など泥が発生する地域で作業をするとシュープレート（１０）の泥抜き穴（１４）を通じて泥が浸透することとなり、シュープレート（１０）とゴムパットの間に積もるが、従来のゴムパットはシュープレート（１０）と密着するように付着するため、ゴムパットを取り外さないと積層された泥を排除する方法がなかった。
【０００３】
建設装備１台当たりに付着するゴムパットの数量は８０〜１００個程度であるが、この様な数量のゴムパットを随時装着及び取り外しする作業は容易ではないため、一度付着されたゴムパットは使用する途中に取り外しせず、摩耗や変形により寿命に至るまで使用することが一般的である。
【０００４】
ゴムパットはゴム層の表面が摩耗されゴムパットの骨格である鉄板コアが外部に露出されるまで使用するが、摩耗が進む前でも泥がある場所で長期間装備を使用すると、ゴムパット下面とシュープレート（１０）上面の間に微細な泥が積もり始め、重装備の走行時にゴムパットにかかる圧力によって泥がセメントの様に固くなり、ゴムパットが弓の様に膨らみ始め、時間が経過すると鉄板コアやゴム層の剥離が始まる。結果的に積もった泥も固くなり、ゴムパットの交換時に固着した泥を除去する作業をしなければならないという問題点があった。
【０００５】
同時に、建設装備の方向転換時に垂直方向にせん断力が作用する場合、ゴム層（２００）と鉄板コア（１００）の接着面がその力に耐えられず、ゴム層（２００）が鉄板コア（１００）から分離され剥離される現象がしばしば発生するという問題点があり、ゴム層（２００）と鉄板コア（１００）の間の剥離現象を効果的に防止できる新しい構造のゴムパットが必要な実情である。
【先行技術文献】
【特許文献】
【０００６】
【特許文献１】韓国登録特許第１０−１３７５４９９号公報
【特許文献２】韓国登録特許第１０−０６０５２３３号公報
【特許文献３】特許第４３６６６９４号公報
【特許文献４】実用新案登録第３１５４５３１号公報
【考案の概要】
【考案が解決しようとする課題】
【０００７】
前記問題点を解決するために創作された本考案は、泥のような異物の排出を円滑にし、水平方向に作用するせん断力によってゴム層（２００）や鉄板コア（１００）から簡単に剥離されない新しい構造の建設装備用ゴムパットを提供することをその目的とする。
【課題を解決するための手段】
【０００８】
前記目的を達成するために創作された本考案の技術的な構成は次の通りである。
本考案は垂直及び水平方向に泥排出口が具備された建設機械用ゴムパットに関するものであり、板状部材の前端及び後端が切曲された断面台形状であり、前端はシュープレート（１０）の前方突起部（１１）下端と接し、後端はシュープレート（１０）の後方突起部（１３）下端に接し、中央部はシュープレート（１０）の中央突起部（１２）上端面に密着するように結合されながらシュープレート（１０）の中央突起部（１２）前後方各々に内部空間（６００）を形成する鉄板コア（１００）；前記鉄板コア（１００）の上部面に対応する形態の下部面を持ち、前記鉄板コア（１００）の上部面に接着され前記鉄板コア（１００）と一体をなすゴム層（２００）；及び前記鉄板コア（１００）をシュープレート（１０）に結合する結着部（３００）；を含み、前記ゴム層（２００）と前記鉄板コア（１００）を垂直方向に関通して前記内部空間（６００）各々に到達する垂直排出口（４００）；及び前記内部空間（６００）の左右両端部が開放され水平方向の排出通路になる水平排出口（５００）に流入された泥や異物が前記垂直排出口（４００）と前記水平排出口（５００）を交互に通過して外部に排出されることを特徴とする。
【考案の効果】
【０００９】
本考案の構成によると、次のような技術的効果を実現できる。
ア）垂直排出口（４００）と水平排出口（５００）を通じてゴムパットとシュープレート（１０）の間の内部空間（６００）に流入された泥や異物を効果的に排出し、泥や異物の蓄積及び固着化によるゴムパットの変形を未然に防止できる。
【００１０】
イ）鉄板コア（１００）の上部面で上向きに突出してゴム層（２００）を支持する 支持板（１１０）が具備され、水平方向に作用するせん断力によってゴム層（２００）が鉄板コア（１００）から分離される事を防止できる。
つまり支持板（１１０）が突出し、ゴム層（２００）と鉄板コア（１００）の接着面にせん断力が作用せずにゴム層（２００）端面の引裂き強度が対応する構造となりせん断力に抵抗する強度が倍加されゴム層（２００）の分離を根本的に防止できる。
【００１１】
ウ）板状部材の前端と後端が切曲された断面形状の鉄板コア（１００）を使用し、鉄板コア（１００）の前端はシュープレート（１０）の後方突起部（１３）下端に接し、鉄板コア（１００）の中央部はシュープレート（１０）の中央突起部（１２）上端面に密着するように結着されシュープレート（１０）の中央突起部（１２）前後方各々に内部空間（６００）を形成する構造が完成されることによってゴムパットの重量が減少し、装備稼働時のエネルギーを節減でき、ゴムパットの交換作業（分離及び装着）を円滑に遂行できる。
【図面の簡単な説明】
【００１２】
【図１】本考案が適用されるシュープレート（１０）を例示的に図示し、（ａ）は斜視図、（ｂ）は断面図である。
【図２】本考案の具体的な実施例を図示し、（ａ）は泥抜き穴（１４）を縦断する断面構造であり、（ｂ）は泥抜き穴（１４）を横断する断面構造である。
【図３】本考案に適用できる結着部（３００）の具体的な実施例として、（ａ）弾性フック（３１０）、（ｂ）締結用ブロック（３２１）、アングルブラケット（３２２）及び水平結合ボルト（３２３）、（ｃ）結合ナット（３３３）、スペーサー（３３２）及び垂直結合ボルト（３３１）で構成された結合断面構造を各々図示する。
【図４】（ａ）垂直排出口（４００）を通じて泥が内部空間（６００）に流入される場合、（ｂ）駆動用スプロケットの歯にトラックリンクが接触して伝達される圧力によって内部空間（６００）につまっていた泥が垂直排出口（４００）と水平排出口（５００）へと押し出される場合、（ｃ）地面から伝達される圧力と駆動用スプロケットの歯による圧力の相互作用でポンプアップ効果を発揮し水平排出口（５００）を通じて泥が排出される場合を簡略かつ概念的に図示する。
【考案を実施するための形態】
【００１３】
以下では本考案の具体的な実施例を、添付図面を参照してより詳細に説明する。
【００１４】
本考案は垂直及び水平方向に泥排出口が具備された建設機械用ゴムパットに関するもので、図２で図示されるように鉄板コア（１００）、ゴム層（２００）及び結着部（３００）で構成される。
【００１５】
鉄板コア（１００）は板状部材の前端及び後端が切曲された断面台形状であり、前端はシュープレート（１０）の前方突起部（１１）下端に接し、後端はシュープレート（１０）の後方突起部（１３）下端に接し、中央部はシュープレート（１０）の中央突起部（１２）上端面に密着するよう結合しながらシュープレート（１０）の中央突起部（１２）前後方各々に内部空間（６００）を形成する。
【００１６】
ゴム層（２００）はこのような鉄板コア（１００）の上部面に対応する形態の下部面を持ち、鉄板コア（１００）の上部面に接着して鉄板コア（１００）と一体になりゴムパッドの本体を形成する。
【００１７】
結着部（３００）は鉄板コア（１００）をシュープレート（１０）に結合する役割をする。
【００１８】
垂直排出口（４００）はゴム層（２００）と鉄板コア（１００）を垂直方向に貫通して内部空間（６００）各々に到達して内部空間（６００）と外部を連結して泥や異物の垂直方向への排出通路の役割をする。
【００１９】
水平排出口（５００）は内部空間（６００）の左右両端部が開放され泥や異物の水平方向への排出通路の役割をする。
【００２０】
このような水平排出口（５００）は結着部（３００）が内部空間（６００）の左右両端部を遮断しない領域で構成される 。つまり、図２で一緒に図示された断面Ａ−Ａ（ＳＥＣＴ Ａ-Ａ）で確認できる内部空間（６００）の断面において結着部（３００）が占有しない領域が水平排出口（５００）になる。
【００２１】
結着部（３００）は以下の３種類の構造のうち、１種類又は2種類の組み合わせで成り立つ。
【００２２】
（１）第１構造
結着部（３００）は図３（ａ）で図示されるように「コ」を反対にした逆コの字型の形態に切曲された２つのワイヤーが離隔されて平行に配列された状態で下側の端部が連結ワイヤー（３１５）によって一体に結合された形態の弾性フック（３１０）構造になることができる。このような弾性フック（３１０）の上側の各端部は鉄板コア（１００）に溶接結合されるが、図２の左側端部のように弾性フック（３１０）が適用されると弾性フック（３１０）と鉄板コア（１００）の間にシュープレート（１０）を挟めて弾性支持される。
第一構造のような結着部（３００）は鉄板コア（１００）の左右両側すべてに適用することは難しく、左右両側のいずれか一方に適用される場合、他方は第二構造又は第三構造が適用されなければならない。鉄板コア（１００）の両側すべてに弾性フック（３１０）のような構造が適用される場合、装着が極めて難しかったり不可能であるからである。図２では左側端部に第一構造が適用され、右側端部には第二構造が適用されていることを例示的に示している。
【００２３】
（２）第２構造
結着部（３００）は図３（ｂ）で図示されるように締結用ブロック（３２１）、アングルブラケット（３２２）及び水平結合ボルト（３２３）で構成することも可能である。
締結用ブロック（３２１）は鉄板コア（１００）下部面に溶接結合され内部空間（６００）に位置し、水平結合ボルト（３２３）と締結できるようにネジ山が形成されたネジ部が具備される。
アングルブラケット（３２２）はＬ字型の断面形態のアングル部材として締結用ブロック（３２１）の側面に結合され、図２の右側端部で確認できるようにアングルブラケット（３２２）と鉄板コア（１００）の間にシュープレート（１０）が挟まれる構造になる。
水平結合ボルト（３２３）はアングルブラケット（３２２）を通過して締結用ブロック（３２１）の内部に具備されたにネジ部と締結され、アングルブラケット（３２２）を固定する役割を果たす。
このような第２構造は水平排出口（５００）が確保されるように内部空間（６００）断面の一部領域のみを占める大きさにならなければならない。
【００２４】
（３）第３構造
第３構造は図３（ｃ）に断面構造で図示されるように垂直結合ボルト（３３１）、スペーサー（３３２）及び結合ナット（３３３）で構成することもできる。
垂直結合ボルト（３３１）は頭部が鉄板コア（１００）に溶接結合されて下向きに突出し、内部空間（６００）とシュープレート（１０）を通過する。
スペーサー（３３２）は全体的に円筒管形態をしており垂直結合ボルト（３３１）が挿入され、鉄板コア（１００）の下部面とシュープレート（１０）の間に位置して鉄板コア（１００）の下部面を支える役割をする。
結合ナット（３３３）はシュープレート（１０）を通過した垂直結合ボルト（３３１）の下端部に締結されゴムパットの鉄板コア（１００）がシュープレート（１０）に固定される。
このような第３構造は水平排出口（５００）を確保できるように内部空間（６００）断面の一部領域のみを占める大きさにならなければならない。
【００２５】
このような構造のゴムパットがシュープレート（１０）に付着されるとシュープレート（１０）の泥抜き穴（１４）を通じて内部空間（６００）に流入された泥や異物が垂直排出口（４００）と水平排出口（５００）を交互に通過して外部に排出される。
【００２６】
このような過程をより具体的に説明すると、図４（ａ）で図示されるように建設装備の走行中にゴムパットが地面に密着して圧力を受けると、垂直排出口（４００）を通じて流入される泥が内部空間（６００）を自然に埋めながら力（圧力）を受けないため、固まっていない自然状態を維持できる。
【００２７】
このような方式で流入される泥は内部空間（６００）はもちろん、シュープレート（１０）の泥抜き穴（１４）を通じて駆動用スプロケットの歯が噛み合うトラックリンクの空きスペースも自然に埋めることとなる。
【００２８】
建設装備が前進してシュープレート（１０）が駆動用スプロケットに噛み合うと（シュープレート（１０）はまだ地面に接してない状態）、図４（ｂ）で図示されるようにシュープレート（１０）の泥抜き穴（１４）を通じて伝達される圧力（駆動用スプロケットの歯がトラックリンクに噛み合いながら伝達される圧力）によって内部空間（６００）につまっていた泥が自然に垂直排出口（５００）を通じて一部が排出されることができる。
【００２９】
シュープレート（１０）が駆動用スプロケットに噛み合った状態で地面に接すると、図４（ｃ）で図示されるように垂直排出口（４００）が閉められ駆動用スプロケットから伝達される圧力と地面の圧力によって内部空間（６００）につまっていた泥は水平排出口（５００）を通じて外部に押し出される。つまり、駆動用スプロケットの歯と地面の相互作用でポンプアップのような効果が発生し、水平排出口（５００）で泥を押し出すという構造である。
【００３０】
支持板（１１０）は図２で図示されるように鉄板コア（１００）の上部面で上向きに突出されてゴム層（２００）内部に進入する構造でゴム層（２００）を支えることになるが、水平方向に作用するせん断力によってゴム層（２００）が前記鉄板コア（１００）から分離することを効果的に防止することができる。
【００３１】
以上、本考案の具体的な実施例を、添付図面を通じて説明したが、本考案の保護範囲は必ずしもこのような実施例にのみ限定されるものではなく、本考案の技術的要旨を変更しない範囲内での様々な設計変更、公知技術の付加又は削除、単純な数値の限定などの場合も本考案の保護範囲に属すことをはっきりとする。
【符号の説明】
【００３２】
１００：鉄板コア
１１０：支持板
２００：ゴム層
３００：結着部
３１０：弾性フック
３１５：連結ワイヤー
３２１：締結用ブロック
３２２：アングルブラケット
３２３：水平結合ボルト
３３１：垂直結合ボルト
３３２：スペーサー
３３３：結合ナット
４００：垂直排出口
５００：水平排出口
６００：内部空間
１０：シュープレート
１１：前方突起部
１２：中央突起部
１３：後方突起部
１４：泥抜き穴
【図１】
0003228743.tif 000003
【図２】
0003228743.tif 000004
【図３】
0003228743.tif 000005
【図４】
0003228743.tif 000006